(57)【要約】【課題】上端部が天井まで達する建具で、上枠と天井との納まりを良好とした建具を提供する。【解決手段】建具１は、上枠２１、下枠２２及び左右の縦枠を有する枠体と、枠体内に開閉可能に設けられた障子３と、を備え、上枠２１の屋内側を向く面は、天井仕上げ材Ｔの屋外側端面と対向し、上枠２１は、少なくとも屋内側に樹脂で形成された樹脂上枠２１Ｃを有し、上枠２１には、上枠２１の下面２１ａから天井仕上げ材Ｔの下面にまたがって配置された上枠見切り材４２０が設けられ、上枠見切り材４２０は、樹脂上枠２１Ｃに形成され溝部に嵌合可能な嵌合部と、上枠２１の下面から天井仕上げ材Ｔの下面にまたがって配置された見切り部と、を有することを特徴とする。【選択図】図４
2019178529.tif 000002
【特許請求の範囲】
【請求項１】
上枠、下枠及び左右の縦枠を有する枠体と、
該枠体内に開閉可能に設けられた障子と、を備え、
前記上枠の屋内側を向く面は、天井仕上げ材の屋外側端面と対向し、
前記上枠は、少なくとも屋内側に樹脂で形成された樹脂上枠を有し、
前記上枠には、該上枠の下面から前記天井仕上げ材の下面にまたがって配置された上枠見切り材が設けられ、
該上枠見切り材は、
前記樹脂上枠に形成され溝部に嵌合可能な嵌合部と、
前記上枠の下面から前記天井仕上げ材の下面にまたがって配置された見切り部と、を有することを特徴とする建具。
【請求項２】
前記枠体は、前記左右の縦枠の間に配置される方立を有し、
前記上枠、前記下枠、前記左右の縦枠のうち前記障子の戸先側に配置される戸先側縦枠及び前記方立により屋内外方向に連通する開口部が形成され、
前記戸先側縦枠及び前記方立には、屋内側に向かって突出する縦材見切り部が設けられ、
前記縦材見切り部の前記開口部側を向く面に、前記上枠見切り材の端面が当接配置されている請求項１に記載の建具。
【請求項３】
前記溝部には上下方向にわたって被係止部が形成され、
前記嵌合部には、前記溝部の前記被係止部と係止可能な係止片が形成されている請求項１または２に記載の建具。
【請求項４】
前記樹脂上枠は、前記天井仕上げ材と対向する天井対向壁部を有し、
前記溝部は、前記天井対向壁部よりも屋外側に形成されている請求項１から３のいずれか一項に記載の建具。
【発明の詳細な説明】
【技術分野】
【０００１】
本発明は、建具に関するものである。
【背景技術】
【０００２】
従来から、建築物の開口部に設置される建具として、開口部に固定される枠体と、枠体内に開閉可能に設けられた障子と、を備えたものが知られている。枠体の上枠が天井仕上げ材よりも僅かに下方に配置される場合には、上枠の屋内側に化粧部材を設けることがある（下記の特許文献１〜３参照）。
【先行技術文献】
【特許文献】
【０００３】
【特許文献１】特開２０１５−５５０７２号公報
【特許文献２】特開２０００−３１４２７３号公報
【特許文献３】実開昭５７−８９６７２号公報
【発明の概要】
【発明が解決しようとする課題】
【０００４】
ところで、建具の枠体を開口部に固定する際には、四方枠状に形成された枠体を開口部に嵌め込んで、下枠を躯体に固定して、続いて縦枠及び上枠を躯体に固定する手順で行うことが一般的である。このように、下枠を基準として施工するため、上枠の下面が天井仕上げ材の下面と面一になるように設計された建具の場合には、下枠や床材等の施工誤差により、上枠の下面と天井仕上げ材の下面との間に段差が生じてしまい、見栄えが悪くなるという問題点がある。
【０００５】
そこで、本発明は、上記事情に鑑みてなされたものであり、上端部が天井まで達する建具で、上枠と天井との納まりを良好とした建具を提供する。
【課題を解決するための手段】
【０００６】
上記目的を達成するために、本発明は以下の手段を採用している。
すなわち、本発明に係る建具は、上枠、下枠及び左右の縦枠を有する枠体と、該枠体内に開閉可能に設けられた障子と、を備え、前記上枠の屋内側を向く面は、天井仕上げ材の屋外側端面と対向し、前記上枠は、少なくとも屋内側に樹脂で形成された樹脂上枠を有し、前記上枠には、該上枠の下面から前記天井仕上げ材の下面にまたがって配置された上枠見切り材が設けられ、該上枠見切り材は、前記樹脂上枠に形成され溝部に嵌合可能な嵌合部と、前記上枠の下面から前記天井仕上げ材の下面にまたがって配置された見切り部と、を有することを特徴とする。
【０００７】
このように構成された建具では、天井仕上げ材の端面が枠体の上枠の屋内側を向く面に対向配置されるため、上枠の屋内側を向く面が天井仕上げ材で隠れて屋内側に露出することが抑制されている。また、上枠には、下面から天井仕上げ材の下面にまたがって配置された上枠見切り材が設けられている。よって、天井仕上げ材の下面と上枠の下面との間に段差があったとしても、当該段差は上枠見切り材で覆われて露出することが抑制されるため、上枠と天井（天井仕上げ材）との納まりを良好とすることができる。
また、上枠の少なくとも屋内側に設けられた樹脂上枠に形成された溝部に上枠見切り材の嵌合部を嵌合すれば、上枠見切り材の見切り部が上枠の下面から天井仕上げ材の下面にまたがって配置される。よって、上枠見切り材を樹脂上枠に容易に取り付けることができる。
【０００８】
また、本発明に係る建具は、前記枠体は、前記左右の縦枠の間に配置される方立を有し、前記上枠、前記下枠、前記左右の縦枠のうち前記障子の戸先側に配置される戸先側縦枠及び前記方立により屋内外方向に連通する開口部が形成され、前記戸先側縦枠及び前記方立には、屋内側に向かって突出する縦材見切り部が設けられ、前記縦材見切り部の前記開口部側を向く面に、前記上枠見切り材の端面が当接配置されていることが好ましい。
【０００９】
このように構成された建具では、縦材見切り部における開口部側を向く面には、上枠見切り材の端面が当接配置されているため、上枠見切り材の端面の露出が抑制され、見栄えが良い。
【００１０】
また、本発明に係る建具は、前記溝部には上下方向にわたって被係止部が形成され、前記嵌合部には、前記溝部の前記被係止部と係止可能な係止片が形成されていてもよい。
【００１１】
このように構成された建具では、溝部には上下方向のいずれかの位置の被係止部と嵌合部の係止片を係止させればよい。よって、天井仕上げ材の下面と上枠の下面との間の段差の高さに応じて、見切り材溝部の上下方向に変位させて取り付けることができる。
【００１２】
また、本発明に係る建具では、前記樹脂上枠は、前記天井仕上げ材と対向する天井対向壁部を有し、前記溝部は、前記天井対向壁部よりも屋外側に形成されていてもよい。
【００１３】
このように構成された建具では、樹脂上枠の天井対向壁部よりも屋外側に形成された溝部に上枠見切り材の嵌合部を嵌合すれば、上枠見切り材が取り付けられる。
【発明の効果】
【００１４】
本発明に係る建具によれば、上端部が天井まで達する建具で、上枠と天井との納まりを良好とすることができる。
【図面の簡単な説明】
【００１５】
【図１】本発明の一実施形態による建具を屋内側から見た斜視図である。
【図２】本発明の一実施形態による建具を屋内側から見た正面図であり、障子が閉じた状態を示している。
【図３】本発明の一実施形態による建具を屋内側から見た正面図であり、障子が開いた状態を示している。
【図４】本発明の一実施形態による建具の縦断面図である。
【図５】本発明の一実施形態による建具の横断面図であり、障子が閉じて、網戸が開いた状態を示している。
【図６】本発明の一実施形態による建具の横断面図であり、障子が開いて、網戸が閉じた状態を示している。
【図７】図４のＡ部拡大図である。
【図８】本発明の一実施形態による建具と隣り合って配置される天井仕上げ材が、図７に示す位置よりも下方に配置された状態で、上枠見切り材の配置を示す図である。
【図９】本発明の一実施形態の変形例による建具の縦断面図である。
【発明を実施するための形態】
【００１６】
以下、本発明の一実施形態による建築物に設けられる建具の一例として、片引き戸について図１から図８に基づいて説明する。
図１は、本発明の一実施形態による建具を屋内側から見た斜視図である。図２は、本発明の一実施形態による建具を屋内側から見た正面図であり、障子が閉じた状態を示している。図３は、本発明の一実施形態による建具を屋内側から見た正面図であり、障子が開いた状態を示している。なお、図１では、建具が固定される建築物の図示を省略し、建具単独で示している。
図１から図３に示すように、片引き戸（建具）１は、建築物の開口に設けられ、四角形枠状に形成された枠体２と、枠体２に対してスライド可能に設けられた障子３と、を備えている。
【００１７】
以下の説明において、屋外側と屋内側とを結ぶ方向を屋内外方向とし、建築物の開口が壁部を貫通する方向（壁部に対向する方向）から見た際の左側と右側を結ぶ水平方向を左右方向とする。また、片引き戸１を構成する各部材や部品等は、前記開口に設けられている姿勢であるものとして、その姿勢における屋内外方向および左右方向を用いて説明する。左右方向において、障子を閉じる方向を閉鎖方向といい、開く方向を開放方向という。
【００１８】
片引き戸１は、アルミニウムと樹脂の複合のサッシである。枠体２には左右領域のうち一方（本実施形態では屋内側から見て右側）の第１領域の屋内側に躯体Ｋ（図２参照。以下同じ。）が設けられ、他方（屋内側から見て左側）の第２領域の屋内側に屋内外方向に連通する開口部２Ａが形成された外付け構造となっている。
【００１９】
図４は、本発明の一実施形態による建具の縦断面図である。図５は、本発明の一実施形態による建具の横断面図であり、障子が閉じて、網戸が開いた状態を示している。図６は、本発明の一実施形態による建具の横断面図であり、障子が開いて、網戸が閉じた状態を示している。
図４から図６に示すように、枠体２は、全体が矩形状に形成されている。枠体２は、左右方向に延在する上枠２１及び下枠２２と、上枠２１の両端部と下枠２２の両端部とをそれぞれ連結し上下方向に延在する縦枠２３，２４と、左右の縦枠２３，２４どうしの間の左右方向の中間部分に設けられる方立２５と、を有している。本実施形態では、上枠２１、下枠２２、縦枠２３，２４及び方立２５は、それぞれアルミ合金等の金属製である。
方立２５は、上枠２１と下枠２２とのそれぞれの左右方向の中間部分に連結されている。
また、枠体２の屋外側には、網戸５が左右方向に移動可能に設けられている（図５参照）。
【００２０】
図４に示すように、上枠２１は、屋外側に配置され障子３の後述する上框３１を開閉自在に支持する屋外側上枠部２１Ａと、屋内側に配置され開口部２Ａを形成する上枠カバー２１Ｃが取り付けられる屋内側上枠部２１Ｂと、を有している。
【００２１】
屋外側上枠部２１Ａには、屋外側の端面から下方に向けて突出するとともに、左右方向に延びるフランジ形状の網戸レールガイド２１１と、屋内外方向の中間部分から下方に向けて突出するとともに、左右方向に延びるフランジ形状の障子レールガイド２１２と、が設けられている。
【００２２】
屋外側上枠部２１Ａにおける障子レールガイド２１２の屋内側には、上方に凹む上枠凹部２１３が設けられている。上枠凹部２１３には、ダンパー装置６を収納可能な上枠レール間カバー２１Ｅが配置されている。
【００２３】
屋内側上枠部２１Ｂには、複数箇所（３箇所）から下方に向けて突出するとともに、左右方向に延びる上枠カバー２１Ｃの上部を固定するためのフランジ２１４ａ，２１４ｂ，２１４ｃが設けられている。
【００２４】
フランジ２１４ａ，２１４ｂ，２１４ｃは、この順に屋外側から屋内側に配置されている。フランジ２１４ａは、下方に向かうにしたがって次第に屋内側に傾斜するように延びている。フランジ２１４ｂ，２１４ｃは、鉛直下方に向かって延びている。
【００２５】
上枠カバー（樹脂上枠）２１Ｃには、複数箇所（３箇所）から上方に向けて突出する取付片２１６ａ，２１６ｂ，２１６ｃが設けられている。
【００２６】
取付片２１６ａ，２１６ｂ，２１６ｃは、この順に屋外側から屋内側に配置されている。取付片２１６ａは、上方に向かうにしたがって次第に屋外側に傾斜するように延びている。取付片２１６ｂ，２１６ｃは、鉛直上方に向かって延びている。
【００２７】
取付片２１６ａは、上枠２１のフランジ２１４ａに螺子２１７で螺合されている。取付片２１６ｂ，２１６ｃは、それぞれフランジ２１４ｂ，２１４ｃに嵌合されている。このようにして、上枠カバー２１Ｃは、上枠２１に取り付けられている。上枠カバー２１Ｃの下面２１ａは、上述した開口部２Ａの上側の面を構成している。
【００２８】
上枠カバー２１Ｃの屋外側角部には、ヒレ部材２１５が設けられている。ヒレ部材２１５は、屋外側に向かうにしたがって次第に上方に向かって突出している。ヒレ部材２１５は、左右方向の全体にわたって延在している。ヒレ部材２１５は、障子３の後述する上框３１の屋内側面３１ａに接触可能に設けられている。
【００２９】
上枠レール間カバー２１Ｅは、上枠カバー２１Ｃとは別体で設けられている。上枠レール間カバー２１Ｅは、下側に向かって開口する縦断面略コ字状をなしている。上枠レール間カバー２１Ｅは、上枠凹部２１３に係合された状態で上板２１ｃがねじ固定や嵌め合わせ等により上枠凹部２１３の頂板２１３ａに固定されている。
【００３０】
上枠カバー２１Ｃ及び上枠レール間カバー２１Ｅは、合成樹脂等の材料により形成されている。
【００３１】
図７は、図４のＡ部拡大図である。
図７に示すように、上枠カバー２１Ｃの下部では、屋内側を向く面２１ｂに、天井仕上げ材Ｔの端面（屋外側端面）ｔ１が当接配置されている。上枠カバー２１Ｃの下面２１ａには、屋内側の端部に、アングル配置部４１１が形成されている。アングル配置部４１１は、上枠カバー２１Ｃの延在方向（左右方向）にわたって形成されている。
【００３２】
アングル配置部４１１は、第１段部４１２と、第２段部（天井対向壁部）４１３と、凹溝（溝部）４１４と、を有している。第１段部４１２は、上枠カバー２１Ｃの下面２１ａから上方に凹んでいる。第２段部４１３は、第１段部４１２の屋内側の端部において、第１段部４１２から上方に凹んでいる。第２段部４１３の屋内側を向く面は、天井仕上げ材Ｔの端面ｔ１と対向配置されている。凹溝４１４は、第２段部４１３よりも屋外側に設けられている。凹溝４１４は、第１段部４１２から上方に凹んでいる。
【００３３】
凹溝４１４は、凹部と凸部とが上下方向に連続した凹凸部（被係止部）４１５により形成されている。凹凸部４１５は、凹溝４１４の屋内側を向く面及び屋外側を向く面の両側に形成されている。
【００３４】
凹溝４１４には、上枠アングル（上枠見切り材）４２０が嵌合されている。上枠アングル４２０は、凹溝４１４の延在方向（左右方向）にわたって設けられている。
【００３５】
上枠アングル４２０は、嵌合部４２１と、見切り部４３１と、を有している。本実施形態では、上枠アングル４２０は、合成樹脂等の材料により形成されている。
【００３６】
嵌合部４２１は、見切り部４３１から上方に延びている。嵌合部４２１は、上枠カバー２１Ｃの凹溝４１４に挿入され、凹凸部４１５に嵌合されている。
【００３７】
図７に示す状態で、上枠アングル４２０の嵌合部４２１の上端部４２１ｕと、上枠カバー２１Ｃの凹溝４１４の底部（上端面）４１４ｔとの間には上下方向の空間が形成されている。このため、嵌合部４２１は凹溝４１４内でさら上方に移動可能とされている。
【００３８】
嵌合部４２１の先端部（上端部４２１ｕ）には、下方に向かって延びる係止片４２３が設けられている。係止片４２３は、嵌合部４２１の屋内側を向く面及び屋外側を向く面の両側に形成されている。係止片４２３の先端部（下端部）が上枠カバー２１Ｃの凹溝４１４の凹凸部４１５に係止可能とされている。係止片４２３は、上下方向に形成された凹凸部４１５のうち任意の凹凸部４１５に係止可能とされている。
【００３９】
見切り部４３１は、板状に形成されている。見切り部４３１は、板厚方向の上下方向に向けて配置されている。
【００４０】
見切り部４３１は、屋外側の上面４３２が、屋内側の上面４３３よりも下方に配置されている。上面４３２と上面４３３とは、傾斜面４３４で接続されている。傾斜面４３４は、屋内側から屋外側に向かうにしたがって次第に下方に向かうように形成されている。嵌合部４２１は、見切り部４３１の上面４３２から上方に延びている。
【００４１】
見切り部４３１は、天井仕上げ材Ｔに螺子（不図示）により固定されている。なお、見切り部４３１の上面に接着剤等を付着して、天井仕上げ材Ｔの下面ｔｄに固定する等の固定方法であってもよい。
【００４２】
見切り部４３１は、上枠カバー２１Ｃの下面２１ａから天井仕上げ材Ｔの下面ｔｄにまたがって配置されている。換言すると、上枠カバー２１Ｃと天井仕上げ材Ｔとの境界部は、見切り部４３１で覆われている。見切り部４３１の上面４３３が、天井仕上げ材Ｔの下面ｔｄに当接配置されている。
【００４３】
上枠カバー２１Ｃの下面２１ａは、天井仕上げ材Ｔの下面ｔｄよりも僅かに下方に配置されている。上枠カバー２１Ｃの第１段部４１２は、天井仕上げ材Ｔの下面ｔｄと略同一高さに配置されている。上枠アングル４２０の下面４２０ｄは、上枠カバー２１Ｃの下面２１ａ及び天井仕上げ材Ｔの下面ｔｄよりも下方に配置されている。
【００４４】
図８は、天井仕上げ材Ｔが、図７に示す位置よりも下方に配置された状態で、上枠アングル４２０の配置を示す図である。
図８に示すように、施工誤差等により、天井仕上げ材Ｔが図７に示す所定の高さよりも下方に配置された場合には、上枠アングル４２０が上枠カバー２１Ｃの凹溝４１４内で図７に示す状態よりも下方に配置されている。上枠アングル４２０の見切り部４３１の上面４３３は、天井仕上げ材Ｔの下面ｔｄに当接されている。
【００４５】
なお、天井仕上げ材Ｔが図７に示す所定の高さよりも上方に配置された場合には、上枠アングル４２０は上枠カバー２１Ｃの凹溝４１４内で図７に示す状態よりも上方に配置可能である。詳細には、上枠アングル４２０の嵌合部４２１の上端部４２１ｕが凹溝４１４の底部（上端面）４１４ｔに当接する位置まで、上枠アングル４２０を上方に移動させることができる。
【００４６】
図４に示すように、下枠２２は、屋外側に配置され障子３の後述する下框３２を開閉自在に支持する屋外側下枠部２２Ａと、屋内側に配置され開口部２Ａを形成する下枠カバー２２Ｃが取り付けられる屋内側下枠部２２Ｂと、を有している。
【００４７】
屋外側下枠部２２Ａには、屋外側の端面から上方に向けて突出するとともに、左右方向に延びるフランジ形状の網戸レールガイド２２１と、屋内外方向の中間部分から上方に向けて突出するとともに、左右方向に延びるフランジ形状の障子レールガイド２２２と、が設けられている。
【００４８】
屋外側下枠部２２Ａにおける障子レールガイド２２２の屋内側には、下方に凹む下枠凹部２２３が設けられている。下枠凹部２２３には、下枠レール間カバー２２Ｅが配置されている。
【００４９】
障子レールガイド２２２の上端部には、障子３の下框３２に設けられる戸車３６が屋内外方向への移動が規制された状態で左右方向に走行可能に載置されている。
【００５０】
屋内側下枠部２２Ｂには、上方に向けて突出するとともに、左右方向に延びる下枠カバー２２Ｃの下部及び側面を固定するためのフランジ２２４が設けられている。
【００５１】
下枠カバー２２Ｃの下部は、ねじ固定や嵌め合わせ等により屋内側下枠部２２Ｂのフランジ２２４に固定されている。下枠カバー２２Ｃの上面２２ａは、開口部２Ａの下側の面を構成している。
【００５２】
下枠カバー２２Ｃの屋外側角部には、ヒレ部材２２５が設けられている。ヒレ部材２２５は、屋外側に向かうにしたがって次第に下方に向かって突出している。ヒレ部材２２５は、左右方向の全体にわたって延在している。ヒレ部材２２５は、障子３の後述する下框３２の屋内側面３２ｂに接触可能に設けられている。
【００５３】
下枠レール間カバー２２Ｅは、下枠カバー２２Ｃとは別体で設けられ、ねじ固定や嵌め合わせ等により下枠凹部２２３に固定されている。
【００５４】
下枠カバー２２Ｃ及び下枠レール間カバー２２Ｅは、合成樹脂等の材料により形成されている。
【００５５】
下枠カバー２２Ｃの上面２２ａには、屋内側に、アングル配置部４４１が形成されている。アングル配置部４４１には、下枠アングル４５０が嵌合されている。アングル配置部４４１及び下枠アングル４５０は、それぞれ上枠カバー２１Ｃに形成されたアングル配置部４１１及び上枠アングル４２０を上下反転させた構成であり、各部の構成は同一の符号を付して説明を省略する。アングル配置部４４１の凹溝４１４には、下枠アングル４５０の嵌合部４２１が嵌合されている。
【００５６】
下枠アングル４５０の見切り部４３１の下面４３３は、床仕上げ材Ｆの上面ｆｕに当接配置されている。
【００５７】
図５に示すように、一対の縦枠２３，２４のうち、障子３の後述する戸先框３３に対向する側を第１縦枠（戸先側縦枠）２３とし、障子３の後述する召合框３４に対向する側を第２縦枠２４として、以下説明する。
【００５８】
第１縦枠２３は、屋外側に配置され障子３の戸先框３３を開閉自在に係止する屋外側枠部２３Ａと、屋内側に配置され開口部２Ａを形成する縦枠カバー２６が取り付けられる屋内側枠部２３Ｂと、を有している。
【００５９】
第１縦枠２３における第２縦枠２４側を向く面（側面）の内側には、閉止状態の障子３を開放方向に向けて押し出す押出し機構４（図１参照）が設けられている。
【００６０】
屋外側枠部２３Ａには、左右方向の開放方向に向けて突出するとともに、上下方向に延びるフランジ２３１が設けられている。屋内側枠部２３Ｂには、左右方向の開放方向に向けて突出するとともに、上下方向に延びる縦枠カバー２６を固定するためのフランジ２３２，２３３が設けられている。フランジ２３２，２３３は、この順に屋外側から屋内側に配置されている。
【００６１】
縦枠カバー２６は、合成樹脂等の材料により形成されている。縦枠カバー２６は、ねじ固定や嵌め合わせ等により第１縦枠２３の屋内側枠部２３Ｂのフランジ２３２，２３３に固定されている。縦枠カバー２６の第２縦枠２４側を向く側面２６ａは、開口部２Ａの左右方向の一方側の面を構成している。
【００６２】
縦枠カバー２６の屋外側角部には、ヒレ部材２６１が設けられている。ヒレ部材２６１は、屋外側に向かって突出している。ヒレ部材２６１は、上下方向の全体にわたって延在している。ヒレ部材２６１は、障子３の後述する戸先框３３の屋内側を向く面３３ａに接触可能に設けられている。
【００６３】
第１縦枠２３および縦枠カバー２６は、屋内側の面で躯体（図示省略）に固定されている。
【００６４】
縦枠カバー２６の屋内側角部には、屋内側に向かって突出する縦枠見切り部（縦材見切り部）２６２が設けられている。
【００６５】
縦枠見切り部２６２は、板状に形成されている。縦枠見切り部２６２は、板厚方向を左右方向に向けて配置されている。縦枠見切り部２６２における開口部２Ａ側を向く面２６２ａは、縦枠カバー２６の側面２６ａに沿って配置されている。縦枠見切り部２６２は、縦枠カバー２６の延在方向（上下方向）にわたって設けられている。
【００６６】
縦枠見切り部２６２における開口部２Ａ側と反対側を向く面には、壁仕上げ材Ｗの端面ｗ１が当接配置されている。
【００６７】
第２縦枠２４は、屋外側に配置され障子３の召合框３４を係止する屋外側枠部２４Ａと、屋内側に配置され躯体Ｋが取り付けられる屋内側枠部２４Ｂと、を有している。
【００６８】
屋外側枠部２４Ａには、左右方向の閉鎖方向に向けて突出するとともに、上下方向に延びるフランジ２４１，２４２が設けられている。フランジ２４１，２４２は、この順に屋外側から屋内側に配置されている。フランジ２４１は網戸５の端部が係止可能となっている。
【００６９】
屋内側枠部２４Ｂには、屋外側枠部２４Ａから左右方向の閉鎖方向に向けて突出するとともに、上下方向に延びる躯体Ｋを固定するためのフランジ２４３が設けられている。
【００７０】
方立２５は、第２縦枠２４に支持される躯体Ｋの第１縦枠２３側の端部を支持する方立形材２５Ａを有している。
【００７１】
方立形材２５Ａは、板面が屋内側を向く内板部２５１と、屋外側端部に形成され障子３の閉鎖方向の移動を規制するストッパー部２５２と、内板部２５１の第１縦枠２３側の端部に設けられるカバー係止部２５３と、を有している。
【００７２】
方立形材２５Ａにおける第１縦枠２３側には、方立カバー２５Ｂが係合されている。
【００７３】
方立カバー２５Ｂは、合成樹脂等の材料により形成されている。方立カバー２５Ｂは、ねじ固定や嵌め合わせ等により方立２５の屋内側枠部２３Ｂのストッパー部２５２及びカバー係止部２５３に固定されている。方立カバー２５Ｂの第１縦枠２３を向く側面２５ｃは、開口部２Ａの左右方向の他方側の面を構成している。
【００７４】
方立カバー２５Ｂの屋外側角部には、ヒレ部材２５４が設けられている。ヒレ部材２５４は、屋外側に向かって突出している。ヒレ部材２５４は、上下方向の全体にわたって延在している。ヒレ部材２５４は、障子３の後述する召合框３４の屋内側を向く面３４ａに接触可能に設けられている。
【００７５】
方立カバー２５Ｂの屋内側の角部には、屋内側に向かって突出する方立見切り部（縦材見切り部）２５５が設けられている。
【００７６】
方立見切り部２５５は、板状に形成されている。方立見切り部２５５は、板厚方向を左右方向に向けて配置されている。方立見切り部２５５における開口部２Ａ側を向く面２５５ａは、方立カバー２５Ｂの側面２５ｃに沿って配置されている。方立見切り部２５５は、方立カバー２５Ｂの延在方向（上下方向）にわたって設けられている。
【００７７】
方立見切り部２５５における開口部２Ａ側と反対側を向く面には、壁仕上げ材Ｗの端面ｗ１が当接配置されている。
【００７８】
上枠アングル４２０、下枠アングル４５０、縦枠見切り部２６２及び方立見切り部２５５により組み立てられる形状は、屋内側から見て四方枠状をなしている。縦枠見切り部２６２及び方立見切り部２５５の上端部において、開口部２Ａ側を向く面に、上枠アングル４２０の端面がそれぞれ当接されて固定されている。縦枠見切り部２６２及び方立見切り部２５５の下端部において、開口部２Ａ側を向く面に、下枠アングル４５０の端面がそれぞれ当接されて固定されている。
【００７９】
図４及び図５に示すように、障子３は、左右方向に延在する上框３１および下框３２と、上下方向に延在する戸先框３３と召合框３４と、これらの框３１〜３４の内側に配置されるガラス３５と、を有している。本実施形態では、各框３１〜３４は、アルミニウム部材と合成樹脂部材とが連結されて構成されている。
【００８０】
障子３が全閉した状態（全閉状態）において、上下左右の各框３１〜３４には、それぞれガラス３５を支持するための断面略コの字状の溝（ガラス保持溝Ｇ）が形成されている。ガラス３５の周縁部は、ガラス保持溝Ｇ２内に嵌め込まれている。各框３１〜３４を形成する形の先端部が、屋内側から見てそれぞれ上枠２１、下枠２２、第１縦枠２３及び方立２５の屋外側に隠れるように構成されている。
【００８１】
図６に示すように、障子３は、全開した状態（全開状態）において、戸先框３３が屋内側から見て躯体Ｋの屋外側に隠れるように構成されている。第１領域において全開状態の障子３が引き込まれる際の引き込み代は、障子３の左右方向の寸法と同等以上に設定されている。
【００８２】
このように構成された片引き戸１では、天井仕上げ材Ｔの端面ｔ１が上枠２１の下部の屋内側を向く面２１ｂに当接配置されるため上枠２１の屋内側を向く面が天井仕上げ材Ｔで隠れて屋内側に露出することが抑制されている。また、上枠２１には、上枠カバー２１Ｃの第１段部４１２から天井仕上げ材Ｔの下面ｔｄにまたがって配置された上枠アングル４２０が設けられている。よって、天井仕上げ材Ｔの下面ｔｄと上枠カバー２１Ｃの下面２１ａとの間に段差があったとしても、当該段差は上枠アングル４２０で覆われて露出することが抑制されるため、上枠２１と天井仕上げ材Ｔとの納まりを良好とすることができる。
【００８３】
また、方立見切り部２５５及び縦枠見切り部２６２，における開口部２Ａ側を向く面２５５ａ，２６２ａには、上枠アングル４２０及び下枠アングル４５０の端面が当接配置されているため、上枠アングル４２０及び下枠アングル４５０の端面の露出が抑制され、見栄えが良い。
【００８４】
また、上枠２１の少なくとも屋内側に設けられた上枠カバー２１Ｃの第２段部４１３よりも屋外側に形成された凹溝４１４に上枠アングル４２０の嵌合部４２１を嵌合すれば、上枠アングル４２０の見切り部４３１が上枠カバー２１Ｃの第１段部４１２から天井仕上げ材Ｔの下面ｔｄにまたがって配置される。よって、上枠アングル４２０を上枠カバー２１Ｃに容易に取り付けることができる。
【００８５】
また、凹溝４１４には上下方向のいずれかの位置の凹凸部４１５と嵌合部４２１の係止片４２３を係止させればよい。よって、天井仕上げ材Ｔの下面ｔｄと上枠２１の下面２１ａとの間の段差の高さに応じて、上枠アングル４２０を凹溝４１４内で上下方向に変位させて取り付けることができる。
【００８６】
また、上枠アングル４２０は上枠２１の屋内側の端部に設けられているため、上枠アングル４２０の幅（屋内外方向の長さ）を短くすることができ、上枠アングル４２０が目立たちにくい。
【００８７】
（変形例）
次に、本発明の変形例による片引き戸について、主に図９を用いて説明する。
図９は、本発明の一実施形態の変形例による建具の縦断面図である。
下記に示す変形例の説明において、前述した部材と同一の部材には同一の符号を付して、その説明を省略する。
【００８８】
図９に示すように、本変形例では、下枠カバー２２Ｆは、第１下枠カバー部２２６と、第２下枠カバー部２２７と、第３下枠カバー部２２８と、を有している。
【００８９】
第１下枠カバー部２２６はねじ固定で屋内側下枠部２２Ｂに固定されている。第２下枠カバー部２２７は、第１下枠カバー部２２６の上部及び屋内側を覆うように配置されている。第２下枠カバー部２２７は、ねじ固定で第１下枠カバー部２２６及び屋内側下枠部２２Ｂに固定されている。
【００９０】
第３下枠カバー部２２８は、第２下枠カバー部２２７の上部を覆うように配置されている。第３下枠カバー部２２８は、嵌め合わせにより第２下枠カバー部２２７に固定されている。
【００９１】
第３下枠カバー部２２８の上面２２ａは、開口部２Ａの下側の面を構成している。上面２２ａの屋内側には、アングル配置部４４１が形成されている。アングル配置部４１１の凹溝４１４には、下枠アングル４５０の嵌合部４２１が嵌合されている。
【００９２】
このように構成された片引き戸１０１では、下枠カバー２２Ｆのうち第３下枠カバー部２２８の色調を床仕上げ材Ｆの色調と合わせることで、下枠２２と床仕上げ材Ｆとの一体感が生まれ、外観を良好とすることができる。
【００９３】
なお、上述した実施の形態において示した各構成部材の諸形状や組み合わせ等は一例であって、本発明の主旨から逸脱しない範囲において設計要求等に基づき種々変更可能である。
【００９４】
例えば、上記に示す実施形態では、下枠カバー２２Ｃ、方立カバー２５Ｂ及び縦枠カバー２６には、それぞれ下枠アングル４５０、方立見切り部２５５及び縦枠見切り部２６２が設けられているが、本発明はこれに限られない。少なくとも、上枠に上枠見切り材が設けられていればよい。
【００９５】
また、上記に示す実施形態では、上枠アングル４２０の嵌合部４２１が上枠カバー２１Ｃの凹溝４１４に嵌合されているが、本発明はこれに限られない。上枠見切り材が上枠の下面から天井仕上げ材の下面にまたがって配置されていればよく、例えば上枠見切り材が上枠と天井仕上げ材との間に形成された隙間等に挿入されて固定される構成であってもよい。
【００９６】
また、上記に示す実施形態では、上枠アングル４２０は上枠２１の屋内側の端部に設けられているが、本発明はこれに限られない。上枠見切り材は上枠の屋内外方向の所望の位置に設けられていてよい。
【符号の説明】
【００９７】
１…片引き戸（建具）
２…枠体
２Ａ…開口部
３…障子
５…網戸
２１…上枠
２１Ｃ…上枠カバー（樹脂上枠）
２２…下枠
２２Ｃ…下枠カバー
２３…第１縦枠（戸先側縦枠）
２４…第２縦枠
２５…方立
２５Ｂ…方立カバー
２６…縦枠カバー
２５５…方立見切り部（縦材見切り部）
２６２…縦枠見切り部（縦材見切り部）
４１３…第２段部（天井対向壁部）
４１４…凹溝（溝部）
４１５…凹凸部（被係止部）
４２０…上枠アングル（上枠見切り材）
４２１…嵌合部
４２３…係止片
４３１…見切り部
４５０…下枠アングル
Ｆ…床仕上げ材
Ｔ…天井仕上げ材
Ｗ…壁仕上げ材
【図１】
2019178529.tif 000003
【図２】
2019178529.tif 000004
【図３】
2019178529.tif 000005
【図４】
2019178529.tif 000006
【図５】
2019178529.tif 000007
【図６】
2019178529.tif 000008
【図７】
2019178529.tif 000009
【図８】
2019178529.tif 000010
【図９】
2019178529.tif 000011